(57)【要約】【課題】表地幕体に取付けられる裏地幕体の着脱作業及び遮光性を変更する作業が簡単且つ容易に行える遮光裏地付き幕体による遮光方法及びその遮光裏地付き幕体を提供する。【解決手段】裏地カーテンＢを、略１．５倍仕様又は略２倍仕様の表地カーテンＡの裏面側に重ね合わせた後、吊下げ具４を構成する吊下げ具本体５の吊下げ部５ｃを、表地カーテンＡの差込み部Ａａ…及びその差込み部Ａａ…と連通する裏地カーテンＢの孔部Ｂａ…に差込み、表地カーテンＡ及び裏地カーテンＢの上縁部に沿って所定間隔に隔てて取付けられた吊下げ具４…を、カーテンレール２に挿入されたランナー３…に吊下げる。且つ、遮光用の裏地カーテンＢを、略１．５倍仕様又は略２倍仕様の表地カーテンＡに兼用して取付け、表地カーテンＡの遮光性を変更する。【選択図】  図２
2005000260.tif 000002
【特許請求の範囲】
【請求項１】
表地幕体の上縁部に取付けられる複数の吊下げ具を、取付け部に架設されたレールに沿って移動する複数のランナーに吊下げて遮光する遮光方法であって、
上記表地幕体の裏面側に該表地幕体の裏面側と略対応する大きさに形成された裏地幕体を重ね合わせた後、
上記吊下げ具の吊下げ部を、上記表地幕体の上縁部に形成した複数の差込み部及び該各差込み部と連通する位置且つ間隔に隔てて上記裏地幕体の上縁部に形成した複数の孔部に差込み、
上記表地幕体及び裏地幕体を表裏一体に重ね合わせたまま、該表地幕体及び裏地幕体の上縁側重ね合わせ部に取付けられた複数の吊下げ具を上記各ランナーに吊下げて遮光する
遮光裏地付き幕体による遮光方法
【請求項２】
表地幕体の上縁部に取付けられる複数の吊下げ具を、取付け部に架設されたレールに沿って移動する複数のランナーに対して吊下げ可能に設け、
上記吊下げ具の吊下げ部が差込み許容される差込み部を、上記表地幕体の上縁部に沿って所定間隔に隔てて複数形成し、
上記吊下げ具の吊下げ部が挿通許容される孔部を、上記表地幕体の差込み部と連通する位置且つ間隔に隔てて該表地幕体の裏面側に重ね合わされる裏地幕体の上縁部に複数形成した
遮光裏地付き幕体。
【請求項３】
上記差込み部が異なる位置且つ間隔に隔てて形成された複数の表地幕体に略対応して、該各表地幕体の差込み部と連通する位置且つ間隔に隔てられた孔部を上記裏地幕体の上縁部に複数形成した
請求項２記載の遮光裏地付き幕体。
【請求項４】
上記裏地幕体を、上記表地幕体の裏面側全体に重ね合わされる大きさに形成した請求項２又は３記載の遮光裏地付き幕体。
【発明の詳細な説明】
【０００１】
【発明の属する技術分野】
この発明は、例えばカーテンやスクリーン等の幕体を表裏一体に重ね合わせて遮光するときに吊下げられる遮光裏地付き幕体による遮光方法及び遮光裏地付き幕体に関する。
【０００２】
【従来の技術】
従来、上述例のカーテンを２枚吊設する遮光方法としては、例えば遮光可能なカーテン生地で全体が形成された前部カーテンを、ヘッドボックスの長手側前面部に吊設し、採光可能なカーテン生地で上部が形成され、遮光可能なカーテン生地で下部が形成された後部カーテンを、ヘッドボックスの長手側後面部に取付けられたカーテンレールに吊設する特許文献１のカーテンがある。
【０００３】
【特許文献１】
特開２０００−２６２３９４号公報。
【０００４】
【発明が解決しようとする課題】
しかし、上述のヘッドボックスは、前部カーテン及び後部カーテンを前後に独立して吊設する特異な構造を有しているので、既に吊下げられたカーテンの後側に遮光用のカーテンを吊設する場合、ヘッドボックス全体を交換しなければならない。また、１枚のカーテンを吊設するものよりも構造が複雑且つ略２倍の部品が必要であるため、遮光性を変更する作業に手間及び時間が掛かる。
【０００５】
上述のカーテンを２枚吊設する一般的な方法として、例えば裏地カーテンを表地カーテンの裏面側に縫い付ける方法があるが、カーテン全体を交換しなければ、遮光性を変更することができない。また、裏地カーテン及び表地カーテンを面ファスナーで貼着固定する方法もあるが、表地カーテンの縫製サイズによって面ファスナーの取付け位置が異なるため、様々な縫製サイズの表地カーテンに対応して複数縫製しなければならず、取扱い枚数及び種類が多くなるため、取扱い及び管理が難しく、縫製コストが高くなる。
【０００６】
この発明は上記問題に鑑み、吊下げ具の吊下げ部を表地幕体及び裏地幕体の上縁側重ね合わせ部に係止し、該表地幕体及び裏地幕体を表裏一体に重ね合わせて吊設することにより、表地幕体及び裏地幕体を着脱する作業と、その遮光性を変更する作業とが簡単且つ容易に行え、作業性の向上を図ることができる遮光裏地付き幕体による遮光方法及びその遮光裏地付き幕体の提供を目的とする。
【０００７】
【課題を解決するための手段】
この発明は、表地幕体の上縁部に取付けられる複数の吊下げ具を、取付け部に架設されたレールに沿って移動する複数のランナーに吊下げて遮光する遮光方法であって、上記表地幕体の裏面側に該表地幕体の裏面側と略対応する大きさに形成された裏地幕体を重ね合わせた後、上記吊下げ具の吊下げ部を、上記表地幕体の上縁部に形成した複数の差込み部及び該各差込み部と連通する位置且つ間隔に隔てて上記裏地幕体の上縁部に形成した複数の孔部に差込み、上記表地幕体及び裏地幕体を表裏一体に重ね合わせたまま、該表地幕体及び裏地幕体の上縁側重ね合わせ部に取付けられた複数の吊下げ具を上記各ランナーに吊下げて遮光する遮光裏地付き幕体による遮光方法であることを特徴とする。
【０００８】
上述の遮光裏地付き幕体は、実施例のカーテンやスクリーン等の遮光性を有する表地幕体及び裏地幕体で構成される。且つ、表地幕体及び裏地幕体を、例えば略同等の遮光性を有する幕体生地で構成するか、何れか一方の幕体を遮光性が低い幕体生地又は遮光性が高い幕体生地等で構成することもできる。また、取付け部は、例えば窓部や壁部、天井部等で構成される。また、レールは、例えばカーテンレールやポール型レール、ボックス型レール等で構成される。
【０００９】
つまり、遮光用の裏地幕体を表地幕体の裏面側に重ね合わせた後、吊下げ具の吊下げ部を、表地幕体に形成した複数の差込み部及びその差込み部と連通する位置且つ間隔に隔てて裏地幕体に形成した複数の孔部に差込み、吊下げ具を、表地幕体及び裏地幕体の上縁部に沿って所定間隔に隔てて複数取付けた後、複数の吊下げ具を、取付け部に架設されたレールに沿って移動する複数のランナーに吊下げて、表地幕体及び裏地幕体を表裏一体に重ね合わせたまま吊設する。且つ、吊下げ具の吊下げ部を、表地幕体の差込み部及び裏地幕体の孔部から抜き取り、表地幕体及び裏地幕体を分離又は交換する。
【００１０】
実施の形態として、表地幕体の上縁部に取付けられる複数の吊下げ具を、取付け部に架設されたレールに沿って移動する複数のランナーに対して吊下げ可能に設け、上記吊下げ具の吊下げ部が差込み許容される差込み部を、上記表地幕体の上縁部に沿って所定間隔に隔てて複数形成し、上記吊下げ具の吊下げ部が挿通許容される孔部を、上記表地幕体の差込み部と連通する位置且つ間隔に隔てて該表地幕体の裏面側に重ね合わされる裏地幕体の上縁部に複数形成して遮光裏地付き幕体を構成することができる。
【００１１】
また、上記差込み部が異なる位置且つ間隔に隔てて形成された複数の表地幕体に略対応して、該各表地幕体の差込み部と連通する位置及び間隔に隔てられた孔部を上記裏地幕体の上縁部に複数形成した遮光裏地付き幕体を構成することができる。例えば略１００ｃｍ幅の表地カーテンを縫製する際に、略１．５倍の表地カーテンに形成した略７箇所の差込み部及び略２倍の表地カーテンに形成した略９箇所の差込み部と連通する位置且つ間隔に隔てて予め形成する。その差込み部を、例えば略８箇所に変更するか、略７箇所以下及び略９箇所以上に変更してもよい。また、上記裏地幕体を、上記表地幕体の裏面側全体に重ね合わされる大きさに形成することができる。
【００１２】
【作用及び効果】
この発明によれば、吊下げ具の吊下げ部を、表地幕体に形成した複数の差込み部及びその差込み部と連通する裏地幕体に形成した複数の孔部に差込むだけで、表地幕体及び裏地幕体を表裏一体に重ね合わせたまま吊下げることができ、表地幕体及び裏地幕体を着脱する作業と、その遮光性を変更する作業とが簡単且つ容易に行え、作業性の向上を図ることができる。
【００１３】
且つ、複数の表地幕体に形成された差込み部と連通する位置及び間隔に隔てられた孔部を、遮光用の裏地幕体に予め余分に設けておくので、１枚の裏地幕体を様々な縫製仕様の表地幕体に兼用及び共有して取付けることができ、裏地幕体の縫製枚数が少なくて済み、取扱い及び管理が容易に行え、縫製コストの低減を図ることができる。
【００１４】
【実施例】
この発明の一実施例を以下図面に基づいて詳述する。
【００１５】
図面は、幕体の一例である表地カーテン及び裏地カーテンを表裏一体に重ね合わせてなる遮光裏地付きカーテンによる遮光方法及びその遮光裏地付きカーテンを示し、図１及び図２に於いて、上述の表地カーテンＡ及び裏地カーテンＢを表裏一体に重ね合わせてなる遮光裏地付きカーテンを左右開閉自在に吊設する片開き式のカーテン開閉装置１は、室内側に吊下げられる表地カーテンＡ及び窓部側に吊下げられる裏地カーテンＢが表裏一体に重ね合わせたまま吊下げられるカーテンレール２を、ブラケット（図示省略）を介して、例えば窓部や壁部、天井部等の取付け部に架設し、表地カーテンＡの上縁部に沿って所定間隔に隔てて取付けられた吊下げ具４…が吊下げられるランナー３…を、カーテンレール２の下面部全長（又は前面部全長）に形成した軌条２ａ，２ａ間に対して走行移動可能に挿入している。
【００１６】
且つ、表地カーテンＡは、例えばカーテンレール２の一端側に垂下したループ状の開閉紐（図示省略）を手動で開閉操作するか、カーテンレール２の一端側に取付けたモータの動力で電動開閉する等して左右の何れか一方に開閉される。また、ランナー３を、カーテンレール２の下面部全長（又は前面部全長）に形成した１条の軌条２ａに対して走行移動可能に係止することもできる。
【００１７】
なお、上述の表地カーテンＡを窓部側に吊下げ、裏地カーテンＢを室内側に吊下げることもできる。また、表地カーテンＡ及び裏地カーテンＢを、例えば略同等の遮光性を有するカーテン生地で構成するか、何れか一方のカーテンを遮光性が低いカーテン生地又は遮光性が高いカーテン生地で構成する等してもよい。
【００１８】
上述の表地カーテンＡは、後述する吊下げ具本体５の吊下げ部５ｃが下方から差込み許容される略袋状の差込み部Ａａを、カーテン生地の上縁部に沿って幅方向に対して所定間隔に隔てて複数形成すると共に、カーテン生地の上縁部を裏面側に折返した後、その折返し部を幅方向に寄せ集めてなる例えばギャザーやヒダ等の皺寄せ部Ａｂ…にそれぞれ形成している。
【００１９】
且つ、表地カーテンＡの一般的な仕立て方法としては、例えば吊下げ幅が略１００ｃｍ幅の表地カーテンＡを縫製する際に、略１．５倍のカーテン生地（略１５０ｃｍ）を使用して仕立てる仕様方法（略１．５倍ヒダ）と、略２倍のカーテン生地（略２００ｃｍ）を使用して仕立てる仕様方法（略２倍ヒダ）とがあり、略１．５倍仕様の表地カーテンＡには、そのカーテン生地の上縁部に形成される皺寄せ部Ａｂ…と略対応して、差込み部Ａａ…を略７箇所形成している。また、略２倍仕様の表地カーテンＡには、そのカーテン生地の上縁部に形成される皺寄せ部Ａｂ…と対応して、差込み部Ａａ…を略９箇所形成している。
【００２０】
なお、上述の表地カーテンＡを、例えば略１．５倍（略１５０ｃｍ）以下及び略２倍（略２００ｃｍ）以上のカーテン生地で縫製仕立てするもよい。また、差込み部Ａａ…及び皺寄せ部Ａｂ…の数を、例えば略８箇所に変更するか、略７箇所以下及び略９箇所以上に変更する等してもよい。
【００２１】
前述の裏地カーテンＢは、図５及び図６にも示すように、上述の表地カーテンＡの裏面側全体（又は裏面側一部）に重ね合わされる大きさ及び形状に縫製され、後述する吊下げ具本体５の吊下げ部５ｃが挿通許容される孔部Ｂａを、カーテン生地の上縁部に沿って幅方向に対して所定間隔に隔てて複数形成すると共に、図５に示す略１．５倍仕様の表地カーテンＡに形成した略７箇所の差込み部Ａａ…及び図６に示す略２倍仕様の表地カーテンＡに形成した略９箇所の差込み部Ａａ…と連通する位置且つ間隔に隔てて予め形成している。且つ、孔部Ｂａ…は、例えば手縫いやミシン等でボタンホール仕上げしている。また、例えばハトメ金具やプラスチック等で保護してもよい。
【００２２】
なお、上述の裏地カーテンＢを、例えば略１．５倍（略１５０ｃｍ）以下及び略２倍（略２００ｃｍ）以上のカーテン生地で縫製するもよい。また、孔部Ｂａ…の数及び位置を、例えば表地カーテンＡの差込み部Ａａ…と略対応して略８箇所に変更するか、略７箇所以下及び略９箇所以上に変更する等してもよい。
【００２３】
前述の吊下げ具４は、図３、図４にも示すように、例えばプラスチックや金属、ガラス、セラミックス、木等の単一又は複合した材質で形成した吊下げ具本体５及び吊下げ部材６で構成され、ランナー３の下端部に形成した吊下げ環３ａ（又は吊下げ孔）に吊下げ及び係止される吊下げ部材６を、吊下げ具本体５の両側部全長に形成した溝部５ａ，５ａに対して上下移動可能に取付けると共に、ランナー３の吊下げ環３ａが差込み許容される拡張状態と、その吊下げ環３ａが抜け止めされる復元状態とに弾性変位可能な側面から見て略鉤状のフック部６ａを、吊下げ部材６の後面側上端部から後面側下端部に向けて下方に屈曲及び延長して形成している。
【００２４】
且つ、溝部５ａの後側壁部全長に沿って形成した側面から見て略鋸歯状の段部５ｂ…に対して上方移動が阻止される状態（垂下方向と相反する方向）に係止され、下方移動が許容される状態に弾性変位可能な爪部６ｂ，６ｂを、溝部５ａ，５ａの段部５ｂ…と対向して吊下げ部材６の下端側両側部に形成している。つまり、吊下げ部材６を、吊下げ具本体５の溝部５ａ，５ａに沿って下方に移動させ、吊下げ部材６の爪部６ｂ，６ｂを、溝部５ａ，５ａに形成した何れか一つの段部５ｂ，５ｂに係止して、表地カーテンＡ及び裏地カーテンＢを吊下げるのに適した任意の取付け位置に段階的に可変調節する。また、段部５ｂ…を、吊下げ具本体５の後側左右縁部又は後面側両側部に沿って形成してもよい。
【００２５】
且つ、表地カーテンＡの差込み部Ａａ…に差込み許容及び裏地カーテンＢの孔部Ｂａ…に挿通許容される側面から見て滑らかな先細形状の吊下げ部５ｃを、吊下げ具本体５の前面側下端部から前面側上端部に向けて上方に屈曲及び延長すると共に、表地カーテンＡの上縁側折返し部或いは第１＆裏地カーテンＢの上縁側重ね合わせ部が差込み許容される拡張状態と、その表地カーテンＡの上縁側折返し部或いは第１＆裏地カーテンＢの上縁側重ね合わせ部が挟持される復元状態とに弾性変位可能に設けている。
【００２６】
なお、上述の吊下げ具本体５及び吊下げ部材６で構成される吊下げ具４に代えて、例えば吊下げ部５ｃ及びフック部６ａが一体的に形成された吊下げ具を用いてもよい。また、吊下げ具４…で表裏一体に重ね合わせた状態に吊下げられる表地カーテンＡ及び裏地カーテンＢの上縁部を除く、下縁部及び左右縁部を、例えばボタンやホック、面ファスナー、マグネット、クリップ等で着脱可能に固定してもよい。
【００２７】
図示実施例は上記の如く構成するものにして、以下、片開き式のカーテン開閉装置１に吊下げられる表地カーテンＡに、遮光用の裏地カーテンＢを取付けて遮光する遮光方法を説明する。
【００２８】
先ず、図３、図４に示すように、表地カーテンＡ及び裏地カーテンＢを表裏一体に重ね合わせて吊設する場合、裏地カーテンＢを、略１．５倍仕様（図５参照）又は略２倍仕様（図６参照）に縫製された何れか一方の表地カーテンＡの裏面側に重ね合わせて、表地カーテンＡに形成した差込み部Ａａ…及びその差込み部Ａａ…と連通する位置且つ間隔に隔てて裏地カーテンＢに形成した孔部Ｂａ…とを連通した後、吊下げ具４…を構成する吊下げ具本体５…の吊下げ部５ｃ…を、裏地カーテンＢの孔部Ｂａ…に挿通して、表地カーテンＡの差込み部Ａａ…に対して下方から差込み及び挿入する。
【００２９】
且つ、吊下げ具本体５及び吊下げ部５ｃの対向面間を、吊下げ部５ｃの復元力に抗して、表地カーテンＡ及び裏地カーテンＢの上縁側重ね合わせ部で強制的に拡張しながら、その上縁側重ね合わせ部を吊下げ具本体５及び吊下げ部５ｃの対向面間に差込み、表地カーテンＡ及び裏地カーテンＢの上縁側重ね合わせ部を、吊下げ部５ｃの復元力により、吊下げ具本体５及び吊下げ部５ｃの対向面で厚み方向に挟持して抜け止め固定する。
【００３０】
且つ、上述と同様にして、吊下げ具４…を、表地カーテンＡ及び裏地カーテンＢの上縁部に沿って所定間隔に隔てて取付けた後、図１、図２に示すように、吊下げ部材６…のフック部６ａ…を、カーテンレール２に挿入されたランナー３…の吊下げ環３ａ…に係止して、表地カーテンＡ及び裏地カーテンＢを表裏一体に重ね合わせたまま左右開閉自在に吊設するので、遮光用の裏地カーテンＢを、略１．５倍仕様又は略２倍仕様の表地カーテンＡに取付ける作業及びその表地カーテンＡの遮光性を変更する作業が簡単且つ容易に行える。
【００３１】
また、吊下げ具４を構成する吊下げ具本体５の吊下げ部５ｃを、表地幕体Ａの差込み部Ａａ及び裏地幕体Ｂの孔部Ｂａから抜き取るだけで、表地幕体Ａ及び裏地幕体Ｂを簡単に分離することができ、着脱作業及び交換作業が容易に行える。
【００３２】
一方、遮光用の裏地カーテンＢを、既存のカーテン開閉装置１に吊下げられた略１．５倍仕様又は略２倍仕様の表地カーテンＡに取付ける場合、吊下げ具４…を、カーテンレール２に挿入したランナー３…に吊下げたままで、吊下げ具４…を構成する吊下げ具本体５…の吊下げ部５ｃ…を、表地カーテンＡに形成した差込み部Ａａ…及びその差込み部Ａａ…と連通する裏地カーテンＢに形成した孔部Ｂａ…から抜き取り、表地カーテンＡをカーテンレール２から取り外した後、裏地カーテンＢを、略１．５倍仕様又は略２倍仕様に縫製された何れか一方の表地カーテンＡの裏面側に重ね合わせて、表地カーテンＡに形成した差込み部Ａａ…及び裏地カーテンＢに形成した孔部Ｂａ…を連通する。
【００３３】
且つ、吊下げ具４…を構成する吊下げ具本体５…の吊下げ部５ｃ…を、表地カーテンＡの差込み部Ａａ…及びその差込み部Ａａ…と連通する裏地カーテンＢの孔部Ｂａ…に差込み、吊下げ具４…を、表地カーテンＡ及び裏地カーテンＢの上縁部に沿って所定間隔に隔てて取付けた後、カーテンレール２に挿入されたランナー３…に吊下げるので、吊下げ具４をランナー３に吊下げる吊下げ構造であれば、裏地カーテンＢを、既存のカーテン開閉装置１に吊下げられた表地カーテンＡの裏面側に対して簡単に取付けることができ、表地カーテンＡの遮光性を変更する作業が容易に行える。
【００３４】
また、吊下げ具４…を、カーテンレール２に挿入されたランナー３…から取り外した後、兼用型の裏地カーテンＢを、略１．５倍仕様又は略２倍仕様の表地カーテンＡの裏面側に取付けて遮光性を変更することもできる。
【００３５】
以上のように、吊下げ具４を構成する吊下げ具本体５の吊下げ部５ｃを、表地カーテンＡの差込み部Ａａ…及びその差込み部Ａａ…と連通する裏地カーテンＢの孔部Ｂａ…に差込むだけで、表地カーテンＡ及び裏地カーテンＢを表裏一体に重ね合わせたまま吊下げることができ、従来例のように２枚の幕体が個々に吊下げられるレールを前後に架設するか、２枚の幕体を吊下げるのに適した構造のレールに交換する等の手間及び作業が省けると共に、表地カーテンＡ及び裏地カーテンＢを着脱する作業と、その遮光性を変更する作業とが簡単且つ容易に行え、作業性の向上を図ることができる。
【００３６】
且つ、略１．５倍仕様又は略２倍仕様の表地カーテンＡの差込み部Ａａ…と連通する位置及び間隔に隔てられた孔部Ｂａ…を、遮光用の裏地カーテンＢに予め余分に形成しておくので、裏地幕体Ｂを、様々な縫製仕様の表地幕体Ａと対応して複数縫製するか、表地幕体Ａ及び裏地幕体Ｂが一体的に縫い付けられた２重幕体を複数縫製する必要がなく、１枚の裏地カーテンＢを、略１．５倍仕様及び略２倍仕様の表地カーテンＡの両方に兼用及び共有して取付けることができるため、裏地カーテンＢの縫製枚数が少なくて済み、取扱い及び管理が容易に行え、縫製コストの低減を図ることができる。
【００３７】
且つ、略１．５倍仕様及び略２倍仕様以外のサイズを有する表地カーテンＡの差込み部Ａａ…と連通する位置及び間隔に隔てられた孔部Ｂａ…を、１枚の裏地カーテンＢに予め余分に設けておけば、実施例以外の様々なサイズの表地カーテンＡにも取付けることができる。
【００３８】
この発明の構成と、上述の実施例との対応において、
この考案の遮光裏地付き幕体は、実施例の表地カーテンＡ及び裏地カーテンＢ、スクリーン、緞帳等を表裏一体に重ね合わせた２重幕体に対応し、
以下同様に、
表地幕体は、表地カーテンＡに対応し、
裏地幕体は、裏地カーテンＢに対応するも、
この発明は、上述の実施例の構成のみに限定されるものではない。
【００３９】
上述の遮光カーテンの遮光方法及び遮光カーテンは、例えば２枚のカーテンを左右両方向に開閉する両開き式のカーテン開閉装置（図示省略）に適用することができる。且つ、本発明の幕体開閉装置は、例えば建物（住居を含む）や自動車、列車、船舶、飛行機等の内部に架設することもできる。
【図面の簡単な説明】
【図１】表裏カーテンを重合して吊下げたカーテン開閉装置を示す背面図。
【図２】表裏カーテンを吊下げ具に吊下げた状態を示す縦断側面図。
【図３】吊下げ具を表裏カーテンの上縁部に差込んだ状態を示す斜視図。
【図４】吊下げ具を表裏カーテンの上縁部に差込む方法を示す縦断側面図。
【図５】吊下げ具を略１．５倍の表地カーテンに取付けた例を示す背面図。
【図６】吊下げ具を略２倍の表地カーテンに取付けた他の例を示す背面図。
【符号の説明】
Ａ…表地カーテン
Ａａ…差込み部
Ｂ…裏地カーテン
Ｂａ…孔部
１…カーテン開閉装置
２…カーテンレール
３…ランナー
４…吊下げ具
５…吊下げ具本体
５ｃ…吊下げ部
６…吊下げ部材
６ａ…フック部
【図１】
2005000260.tif 000003
【図２】
2005000260.tif 000004
【図３】
2005000260.tif 000005
【図４】
2005000260.tif 000006
【図５】
2005000260.tif 000007
【図６】
2005000260.tif 000008